(57)【要約】【課題】入力イメージと欠字イメージを同一イメージとして描画することが可能となり、かつ、再度、呼び出しを行なった際も入力時の入力イメージと同一の入力イメージで描画することが可能となる文字入力装置およびこれを用いた証明用媒体発行装置を提供する。【解決手段】個人情報の中に欠字が存在する場合に、その欠字を入力する欠字端末装置において、入力された欠字のイメージを直接描画するのではなく、入力された欠字に対し縮小・拡大処理した後に入力イメージとして描画する。【選択図】    図４
2004192431.tif 000002
【特許請求の範囲】
【請求項１】
所望の文字を手書きで入力する手書入力手段と、
この手書入力手段により入力された文字のイメージを記憶する記憶手段と、
この記憶手段に記憶された文字のイメージをあらかじめ定められた所定の大きさに縮小することにより入力文字イメージを作成する縮小手段と、
この縮小手段により作成された入力文字イメージをあらかじめ定められた所定の大きさに拡大することにより入力イメージを作成する拡大手段と、
前記記憶手段に記憶された文字のイメージを前記拡大手段により作成された入力イメージに書換える書換手段と、
この書換手段により書換えられた前記記憶手段内の入力イメージおよび前記縮小手段により作成された入力文字イメージをそれぞれ表示する表示手段と、
を具備したことを特徴とする文字入力装置。
【請求項２】
所望の文字を手書きで入力する手書入力ステップと、
この手書入力ステップにより入力された文字のイメージを記憶手段に記憶する記憶ステップと、
前記記憶手段に記憶された文字のイメージをあらかじめ定められた所定の大きさに縮小することにより入力文字イメージを作成する縮小ステップと、
この縮小ステップにより作成された入力文字イメージをあらかじめ定められた所定の大きさに拡大することにより入力イメージを作成する拡大ステップと、
前記記憶手段に記憶された文字のイメージを前記拡大ステップにより作成された入力イメージに書換える書換ステップと、
この書換ステップにより書換えられた前記記憶手段内の入力イメージおよび前記縮小ステップにより作成された入力文字イメージをそれぞれ表示する表示ステップと、
を具備したことを特徴とする文字入力方法。
【請求項３】
証明用媒体の発行に必要な人物の個人情報を入力する個人情報入力手段と、
この個人情報入力手段により入力された個人情報、および、当該個人情報の中に特殊文字である欠字が存在する場合、その欠字を特定の識別子に変換して登録する第１の登録手段と、
前記個人情報の中に欠字が存在する場合、その欠字を入力する欠字入力手段と、
この欠字入力手段により入力された欠字を登録する第２の登録手段と、
前記第１の登録手段から個人情報を取得するとともに、当該個人情報の中に欠字が存在する場合、前記第２の登録手段から対応する欠字を取得し、これらを証明用媒体に印刷する印刷手段とを具備し、
前記欠字入力手段は、
前記第１の登録手段から当該欠字の存在する個人情報を取得して表示する第１の表示手段と、
この第１の表示手段に表示された個人情報内の特定の識別子に対応する欠字を手書きで入力する手書入力手段と、
この手書入力手段により入力された欠字のイメージを記憶する記憶手段と、
この記憶手段に記憶された欠字のイメージをあらかじめ定められた所定の大きさに縮小することにより入力欠字イメージを作成する縮小手段と、
この縮小手段により作成された入力欠字イメージをあらかじめ定められた所定の大きさに拡大することにより入力イメージを作成する拡大手段と、
前記記憶手段に記憶された欠字のイメージを前記拡大手段により作成された入力イメージに書換える書換手段と、
この書換手段により書換えられた前記記憶手段内の入力イメージおよび前記縮小手段により作成された入力欠字イメージをそれぞれ表示する第２の表示手段とから構成され、
前記縮小手段により作成された入力欠字イメージが欠字として前記第２の登録手段に登録されることを特徴とする証明用媒体発行装置。
【請求項４】
人物の少なくとも顔画像を入力する画像入力手段と、
証明用媒体の発行に必要な前記人物の個人情報を入力する個人情報入力手段と、
前記画像入力手段により入力された顔画像および前記個人情報入力手段により入力された個人情報、および、当該個人情報の中に特殊文字である欠字が存在する場合、その欠字を特定の識別子に変換して登録する第１の登録手段と、
前記個人情報の中に欠字が存在する場合、その欠字を入力する欠字入力手段と、
この欠字入力手段により入力された欠字を登録する第２の登録手段と、
前記第１の登録手段から顔画像および個人情報を取得するとともに、当該個人情報の中に欠字が存在する場合、前記第２の登録手段から対応する欠字を取得し、これらを証明用媒体に印刷する印刷手段とを具備し、
前記欠字入力手段は、
前記第１の登録手段から当該欠字の存在する個人情報を取得して表示する第１の表示手段と、
この第１の表示手段に表示された個人情報内の特定の識別子に対応する欠字を手書きで入力する手書入力手段と、
この手書入力手段により入力された欠字のイメージを記憶する記憶手段と、
この記憶手段に記憶された欠字のイメージをあらかじめ定められた所定の大きさに縮小することにより入力欠字イメージを作成する縮小手段と、
この縮小手段により作成された入力欠字イメージをあらかじめ定められた所定の大きさに拡大することにより入力イメージを作成する拡大手段と、
前記記憶手段に記憶された欠字のイメージを前記拡大手段により作成された入力イメージに書換える書換手段と、
この書換手段により書換えられた前記記憶手段内の入力イメージおよび前記縮小手段により作成された入力欠字イメージをそれぞれ表示する第２の表示手段とから構成され、
前記縮小手段により作成された入力欠字イメージが欠字として前記第２の登録手段に登録されることを特徴とする証明用媒体発行装置。
【請求項５】
証明用媒体の発行に必要な人物の個人情報を入力する個人情報入力ステップと、
この個人情報入力ステップにより入力された個人情報、および、当該個人情報の中に特殊文字である欠字が存在する場合、その欠字を特定の識別子に変換して第１の記憶手段に登録する第１の登録ステップと、
前記個人情報の中に欠字が存在する場合、その欠字を入力する欠字入力ステップと、
この欠字入力ステップにより入力された欠字を第２の記憶手段に登録する第２の登録ステップと、
前記第１の記憶手段から個人情報を取得するとともに、当該個人情報の中に欠字が存在する場合、前記第２の記憶手段から対応する欠字を取得し、これらを証明用媒体に印刷する印刷ステップとを具備し、
前記欠字入力ステップは、
前記第１の登録手段から当該欠字の存在する個人情報を取得して表示する第１の表示ステップと、
この第１の表示ステップにより表示された個人情報内の特定の識別子に対応する欠字を手書きで入力する手書入力ステップと、
この手書入力ステップにより入力された文字のイメージを第３の記憶手段に記憶する記憶ステップと、
前記第３の記憶手段に記憶された文字のイメージをあらかじめ定められた所定の大きさに縮小することにより入力文字イメージを作成する縮小ステップと、
この縮小ステップにより作成された入力文字イメージをあらかじめ定められた所定の大きさに拡大することにより入力イメージを作成する拡大ステップと、
前記第３の記憶手段に記憶された文字のイメージを前記拡大ステップにより作成された入力イメージに書換える書換ステップと、
この書換ステップにより書換えられた前記第３の記憶手段内の入力イメージおよび前記縮小ステップにより作成された入力文字イメージをそれぞれ表示する第２の表示ステップとから構成され、
前記縮小ステップにより作成された入力欠字イメージが欠字として前記第２の記憶手段に登録されることを特徴とする証明用媒体発行方法。
【請求項６】
人物の少なくとも顔画像を入力する画像入力ステップと、
証明用媒体の発行に必要な前記人物の個人情報を入力する個人情報入力ステップと、
前記画像入力ステップにより入力された顔画像および前記個人情報入力ステップにより入力された個人情報、および、当該個人情報の中に特殊文字である欠字が存在する場合、その欠字を特定の識別子に変換して第１の記憶手段に登録する第１の登録ステップと、
前記個人情報の中に欠字が存在する場合、その欠字を入力する欠字入力ステップと、
この欠字入力ステップにより入力された欠字を第２の記憶手段に登録する第２の登録ステップと、
前記第１の記憶手段から顔画像および個人情報を取得するとともに、当該個人情報の中に欠字が存在する場合、前記第２の記憶手段から対応する欠字を取得し、これらを証明用媒体に印刷する印刷ステップとを具備し、
前記欠字入力ステップは、
前記第１の記憶手段から当該欠字の存在する個人情報を取得して表示する第１の表示ステップと、
この第１の表示ステップにより表示された個人情報内の特定の識別子に対応する欠字を手書きで入力する手書入力ステップと、
この手書入力ステップにより入力された文字のイメージを第３の記憶手段に記憶する記憶ステップと、
前記第３の記憶手段に記憶された文字のイメージをあらかじめ定められた所定の大きさに縮小することにより入力文字イメージを作成する縮小ステップと、
この縮小ステップにより作成された入力文字イメージをあらかじめ定められた所定の大きさに拡大することにより入力イメージを作成する拡大ステップと、
前記第３の記憶手段に記憶された文字のイメージを前記拡大ステップにより作成された入力イメージに書換える書換ステップと、
この書換ステップにより書換えられた前記第３の記憶手段内の入力イメージおよび前記縮小ステップにより作成された入力文字イメージをそれぞれ表示する第２の表示ステップとから構成され、
前記縮小ステップにより作成された入力欠字イメージが欠字として前記第２の記憶手段に登録されることを特徴とする証明用媒体発行方法。
【発明の詳細な説明】
【０００１】
【発明の属する技術分野】
本発明は、たとえば、自動車の運転免許証や各種証明書（カードタイプや冊子タイプを含む）など、人物の顔画像および個人情報を一緒に証明用媒体に印刷することにより証明用媒体を発行する証明用媒体発行装置において、個人情報の中に存在する特殊文字としての欠字を手書きで入力する文字入力装置および文字入力方法に関する。
【０００２】
また、本発明は、上記文字入力装置および文字入力方法を用いた証明用媒体発行装置および証明用媒体発行方法に関する。
【０００３】
【従来の技術】
従来、たとえば、自動車の運転免許証を発行する証明用媒体発行装置は、登録端末装置から申請者の顔画像および個人情報（住所、氏名、生年月日など）を入力することにより、これらをホスト装置へ登録する。その場合、個人情報の中に、本発行装置にあらかじめ登録されておらず、手書き入力して文字データを登録する必要がある特殊文字としての欠字が存在する場合は特定の識別子に変換して登録される。
個人情報の中に欠字が存在する場合は、欠字端末装置で欠字を手書き入力することにより、これを欠字データベースに登録する。
【０００４】
こうして、顔画像および個人情報、欠字を登録した後、印刷装置において、ホスト装置から顔画像および個人情報を取得するとともに、欠字データベースから欠字データを取得し、これらを免許証媒体に印刷することにより免許証を発行するようになっている。
【０００５】
ところで、欠字端末装置における欠字の入力方法は以下のように行なわれる。すなわち、まず、ホスト装置から欠字が存在する個人情報を取得して、画面に表示する。次に、表示されている個人情報内の特定の識別子に対応する欠字を、ペンタブレットなどの手書入力手段を用いて直接画面上に入力イメージとして入力する。
【０００６】
この場合、入力イメージは、たとえば、図６（ａ）に示すように、１５０ドット×１５０ドットの大きさに設定されていて、そのまま画面に描画するとともに、この入力イメージに対し縮小処理を施して、たとえば、図６（ｂ）に示すように、５０ドット×５０ドットの大きさにしたイメージを欠字イメージとして同じ画面上に描画する。そして、全ての入力対象を入力し終わった時点で、図６（ｂ）の欠字イメージを欠字として欠字データベースに登録する。
【０００７】
【発明が解決しようとする課題】
ところが、上述した従来の欠字の入力方法には以下のような問題がある。すなわち、図６（ａ）のように手書き入力されたままに入力イメージを描画し、図６（ｂ）のようにその描画された入力イメージに対し縮小処理を施して、欠字イメージとして同じ画面上に描画しているので、入力イメージと欠字イメージで目視したときのイメージが異なってしまう。
【０００８】
また、登録された欠字イメージを再度、呼び出した場合、図７（ａ）に示すように呼び出した欠字イメージに対し拡大処理を施し、それを図７（ｂ）に示すように入力イメージとして描画するため、実際に入力した際のイメージと呼び出したときの入力イメージが異なってしまう。
さらに、入力と呼び出しを繰り返し行なうと、毎回入力イメージおよび呼び出された欠字イメージが異なって描画されてしまうという不都合がある。
【０００９】
そこで、本発明は、入力イメージと欠字イメージを同一イメージとして描画することが可能となり、かつ、再度、呼び出しを行なった際も入力時の入力イメージと同一の入力イメージで描画することが可能となる文字入力装置、文字入力方法、および、これを用いた証明用媒体発行装置、証明用媒体発行方法を提供することを目的とする。
【００１０】
【課題を解決するための手段】
本発明の文字入力装置は、所望の文字を手書きで入力する手書入力手段と、この手書入力手段により入力された文字のイメージを記憶する記憶手段と、この記憶手段に記憶された文字のイメージをあらかじめ定められた所定の大きさに縮小することにより入力文字イメージを作成する縮小手段と、この縮小手段により作成された入力文字イメージをあらかじめ定められた所定の大きさに拡大することにより入力イメージを作成する拡大手段と、前記記憶手段に記憶された文字のイメージを前記拡大手段により作成された入力イメージに書換える書換手段と、この書換手段により書換えられた前記記憶手段内の入力イメージおよび前記縮小手段により作成された入力文字イメージをそれぞれ表示する表示手段とを具備している。
【００１１】
また、本発明の証明用媒体発行装置は、証明用媒体の発行に必要な人物の個人情報を入力する個人情報入力手段と、この個人情報入力手段により入力された個人情報、および、当該個人情報の中に特殊文字である欠字が存在する場合、その欠字を特定の識別子に変換して登録する第１の登録手段と、前記個人情報の中に欠字が存在する場合、その欠字を入力する欠字入力手段と、この欠字入力手段により入力された欠字を登録する第２の登録手段と、前記第１の登録手段から個人情報を取得するとともに、当該個人情報の中に欠字が存在する場合、前記第２の登録手段から対応する欠字を取得し、これらを証明用媒体に印刷する印刷手段とを具備し、前記欠字入力手段は、前記第１の登録手段から当該欠字の存在する個人情報を取得して表示する第１の表示手段と、この第１の表示手段に表示された個人情報内の特定の識別子に対応する欠字を手書きで入力する手書入力手段と、この手書入力手段により入力された欠字のイメージを記憶する記憶手段と、この記憶手段に記憶された欠字のイメージをあらかじめ定められた所定の大きさに縮小することにより入力欠字イメージを作成する縮小手段と、この縮小手段により作成された入力欠字イメージをあらかじめ定められた所定の大きさに拡大することにより入力イメージを作成する拡大手段と、前記記憶手段に記憶された欠字のイメージを前記拡大手段により作成された入力イメージに書換える書換手段と、この書換手段により書換えられた前記記憶手段内の入力イメージおよび前記縮小手段により作成された入力欠字イメージをそれぞれ表示する第２の表示手段とから構成され、前記縮小手段により作成された入力欠字イメージが欠字として前記第２の登録手段に登録されることを特徴とする。
【００１２】
【発明の実施の形態】
以下、本発明の実施の形態について図面を参照して説明する。
図１は、本発明の実施の形態に係る文字入力装置が適用される、たとえば自動車の運転免許証などを発行する証明用媒体発行装置の構成を概略的に示すものである。
【００１３】
図１において、この証明用媒体発行装置は、申請者の少なくとも顔画像を入力する画像入力手段としての画像入力部（たとえば、ビデオカメラなど）１１ａ、および、申請者の個人情報（住所、氏名、生年月日など）を入力する個人情報入力手段としての個人情報入力部（たとえば、キーボードなど）１１ｂを有する登録端末装置１１、登録端末装置１１から入力された顔画像および個人情報を対応させて登録（記憶）する第１の登録手段（第１の記憶手段）としてのホスト装置（たとえば、ホストコンピュータ）１２、個人情報の中に本装置に登録されていない特殊文字としての欠字が存在する場合、その欠字（文字）を手書きで入力する文字入力装置としての欠字端末装置１３、欠字端末装置１３から入力された欠字を登録（記憶）する第２の登録手段（第２の記憶手段）としての欠字データベース１４、ホスト装置１２から顔画像および個人情報を取得するとともに、欠字データベース１４から欠字データを取得し、これらを証明用媒体（免許証媒体）に印刷することにより証明用媒体（免許証）を発行する印刷手段としての印刷装置１５、および、これら相互を接続するＬＡＮなどのネットワーク１６を有して構成されている。
【００１４】
なお、登録端末装置１１、欠字端末装置１３、印刷装置１５は、それぞれ複数個設置される場合もある。
【００１５】
欠字端末装置１３は、欠字の登録あるいは編集を行なうためのものであり、たとえば、図２に示すように、ペンＰを用いて文字を手書きで入力するとともにその入力データなどを表示する手書入力手段および表示手段としてのペンタブレット１３ａ、キー入力手段としてのキーボード１３ｂ、および、これらを制御するパーソナルコンピュータ（以後、単にパソコンと略称する）１３ｃを有して構成されている。パソコン１３ｃ内には、ペンタブレット１３ａにより入力された欠字のイメージを記憶する記憶手段としてのメモリ１７が設けられている。
【００１６】
図３は、ペンタブレット１３ａにおけるデータ入力画面およびデータ表示画面の一例を示すもので、２１は欠字が存在する個人情報を表示する個人情報表示領域、２２は欠字イメージを表示する欠字イメージ表示領域、２３は入力イメージを表示する入力イメージ表示領域、２４は欠字イメージを欠字として登録する際に押下する登録ボタン、２５は欠字登録処理を終了する際に押下する終了ボタンである。
【００１７】
なお、入力イメージ表示領域２３は、この例では５つの領域２３ａ〜２３ｅからなり、各領域２３ａ〜２３ｅに、ペンＰを用いて各領域に対応する画面上に直接入力イメージとして欠字（文字）を１文字ずつ手書きで入力することにより、当該各領域２３ａ〜２３ｅにその入力イメージが表示されるとともに、当該入力イメージを縮小した欠字イメージが欠字イメージ表示領域２２に順次表示されるようになっている。
【００１８】
次に、このような構成において証明用媒体の発行処理について説明する。
まず、登録端末装置１１から申請者の顔画像および個人情報（住所、氏名、生年月日など）を入力することにより、これらをホスト装置１２へ登録する。その際、入力する個人情報の中に、本装置の図示しない文字データベースにあらかじめ登録されていない特殊文字としての欠字が存在することが判明した場合は、その欠字を特定の識別子に置き換えて登録する。
たとえば、図３に一例を示すように、住所に欠字が存在する場合は、その欠字Ｃ１を「＊１」という識別子に置き換え、氏名に欠字が存在する場合は、その欠字Ｃ２を「＊２」という識別子に置き換えて登録する。
【００１９】
個人情報の中に欠字が存在する場合は、欠字端末装置１３を用いて当該欠字を手書き入力することにより、これを欠字データベース１４に登録する。なお、この欠字の入力、登録処理については後で詳細に説明する。
【００２０】
こうして、顔画像および個人情報、欠字を登録した後、印刷装置１５において、ホスト装置１２から顔画像および個人情報を取得するとともに、欠字データベース１４から欠字データを取得し、これらを証明用媒体に印刷することにより証明用媒体を発行する。
【００２１】
次に、欠字端末装置１３における欠字の登録（あるいは編集）処理について、図４に示すフローチャートを参照して説明する。なお、当該処理は、主にパソコン１３ｃのプログラムに基づく処理によって実行される。
【００２２】
まず、ステップＳ１にて、終了ボタン２５が押下されたか否かを監視することにより、欠字の登録（編集）が完了したかをチェックし、終了ボタン２５が押下されて登録（編集）が完了すれば当該処理を終了するが、登録（編集）が完了しなければペンタブレット１３ａからの手書き入力があるか否かをチェックし（ステップＳ２）、手書き入力があれば以下の処理を実行する。
【００２３】
すなわち、まず、キーボード１３ｂの操作により、ホスト装置１２から欠字が存在する個人情報を取得し、図３に示すように、ペンタブレット１３ａの個人情報表示領域２１に表示する。次に、表示されている個人情報内の特定の識別子に対応する欠字を、ペンタブレット１３ａの入力イメージ表示領域２３上に直接入力イメージとして入力する。図３の例では、最初に住所の欠字Ｃ１（識別子「＊１」）を領域２３ａで手書き入力し、次に氏名の欠字Ｃ２（識別子「＊２」）を領域２３ｂで手書き入力する。
【００２４】
こうして入力された欠字のイメージは、そのまま一旦、パソコン１３ｃ内のメモリ１７内に格納（記憶）される（ステップＳ３）。メモリ１７内に格納されたイメージ（以降、これをメモリイメージと称す）は、たとえば、図５（ａ）に示すように、１５０ドット×１５０ドットの大きさに設定されている。
【００２５】
次に、メモリ１７内のメモリイメージに対し縮小処理を施すことにより、入力欠字イメージ（欠字イメージ）を作成する（ステップＳ４）。この作成された入力欠字イメージは、たとえば、図５（ｂ）に示すように、５０ドット×５０ドットの大きさに設定されている。ここに、このステップＳ４の処理が本発明における縮小手段に対応している。
【００２６】
次に、ステップＳ４で作成された入力欠字イメージに対し拡大処理を施すことにより、入力イメージを作成する（ステップＳ５）。この作成された入力イメージは、たとえば、図５（ｃ）に示すように、メモリイメージと同じ１５０ドット×１５０ドットの大きさに設定されている。ここに、このステップＳ５の処理が本発明における拡大手段に対応している。
【００２７】
次に、メモリ１７内のメモリイメージをステップＳ５で作成された入力イメージに書換える（ステップＳ６）。ここに、このステップＳ６の処理が本発明における書換手段に対応している。
次に、ステップＳ４で作成された入力欠字イメージをペンタブレット１３ａの欠字イメージ表示領域２２に表示するとともに、メモリ１７内の入力イメージをペンタブレット１３ａの領域２３ａに表示する（ステップＳ７）。
【００２８】
以上の処理を繰り返して行ない、全ての欠字を入力し終わった時点で、ペンタブレット１３ａ上の登録ボタン２４を押下することにより、ステップＳ４で作成された入力欠字イメージを欠字として欠字データベース１４に登録される。
【００２９】
なお、既に当該欠字が登録されている場合は、キーボード１３ｂの操作により、欠字データベース１４から当該欠字（入力欠字イメージ）を取得し、入力欠字イメージ（図５（ｂ）参照）として欠字イメージ表示領域２２に表示するとともに、当該入力欠字イメージに対し拡大処理を施すことにより入力イメージ（図５（ｃ）参照）を作成し、これをメモリ１７内に格納して入力イメージ表示領域２３に表示する。
【００３０】
これ以降は、編集（たとえば、訂正）したい欠字が表示されている入力イメージ表示領域２３において、訂正文字を表示画面上に直接手書きで入力することにより、上記同様な処理が行なわれて、既に登録されている欠字に対する編集（訂正）が行なわれる。
【００３１】
このように、入力された欠字のイメージを直接描画するのではなく、入力された欠字に対し縮小・拡大処理した後に入力イメージとして描画することにより、入力イメージと欠字イメージを同一イメージとして描画することが可能となる。また、登録された欠字に対し再度、呼び出しを行なった際も、入力時の入力イメージと同一の入力イメージで描画することが可能となる。
【００３２】
なお、前記実施の形態では、運転免許証などを発行する証明用媒体発行装置において、個人情報の中に存在する欠字を手書きで入力する欠字端末装置に適用した場合について説明したが、本発明はこれに限定されるものではなく、所望の文字を手書きで入力する他の文字入力装置にも同様に適用できる。
【００３３】
【発明の効果】
以上詳述したように本発明によれば、入力イメージと欠字イメージを同一イメージとして描画することが可能となり、かつ、再度、呼び出しを行なった際も入力時の入力イメージと同一の入力イメージで描画することが可能となる文字入力装置、文字入力方法、および、これを用いた証明用媒体発行装置、証明用媒体発行方法を提供できる。
【図面の簡単な説明】
【図１】本発明の実施の形態に係る文字入力装置が適用される証明用媒体発行装置の構成を概略的に示すブロック図。
【図２】欠字端末装置の構成を概略的に示すブロック図。
【図３】ペンタブレットにおけるデータ入力画面およびデータ表示画面の一例を示す図。
【図４】欠字の登録（編集）処理について説明するフローチャート。
【図５】欠字端末装置における欠字入力処理について説明する図。
【図６】従来の欠字端末装置における欠字入力処理について説明する図。
【図７】従来の欠字端末装置における欠字入力処理について説明する図。
【符号の説明】
１１…登録端末装置、１１ａ…画像入力部（画像入力手段）、１１ｂ…個人情報入力部（個人情報入力手段）、１２…ホスト装置（第１の登録手段、第１の記憶手段）、１３…欠字端末装置（文字入力装置）、１４…欠字データベース（第２の登録手段、第２の記憶手段）、１５…印刷装置（印刷手段）、１６…ネットワーク、Ｐ…ペン、１３ａ…ペンタブレット（手書入力手段、表示手段）、１３ｂ…キーボード、１３ｃ…パーソナルコンピュータ、１７…メモリ（第３の記憶手段）。
【図１】
2004192431.tif 000003
【図２】
2004192431.tif 000004
【図３】
2004192431.tif 000005
【図４】
2004192431.tif 000006
【図５】
2004192431.tif 000007
【図６】
2004192431.tif 000008
【図７】
2004192431.tif 000009